(57)【要約】【課題】本発明は、優れたマスキング効果や消臭効果を有する調合香料を提供する。及びこれらの調合香料を含有する家庭用製品において、家庭用製品を構成する基材の臭気や使用場所における消臭機能を有する家庭用製品を提供する。【解決手段】本発明は（Ａ）トップノート成分及び／又は（Ｂ）ミドルノート成分及び／又は（Ｃ）ベースノート成分の群から選ばれる少なくとも１種以上の香料を含有する調合香料である。【選択図】なし【特許請求の範囲】
【請求項１】
（Ａ）トップノート成分及び／又は（Ｂ）ミドルノート成分及び／又は（Ｃ）ベースノート成分の群から選ばれる少なくとも１種以上の香料を含有する調合香料。
【請求項２】
（Ａ）トップノート成分が０〜１００重量％、（Ｂ）ミドルノート成分が０〜１００重量％、（Ｃ）ベースノート成分が０〜１００重量％の割合で含有する請求項１に記載の調合香料。
【請求項３】
（Ａ）トップノート成分が３〜８０重量％、（Ｂ）ミドルノート成分が１０〜５０重量％、（Ｃ）ベースノート成分が１０〜５０重量％の割合で含有する請求項１又は請求項２に記載の調合香料。
【請求項４】
（Ａ）トップノート成分が、１，４−シネオール、１，８−シネオール、１−オクテン−３−オール、１−ペンテン−３−オール、２，６−ジメチル−５−ヘプテナール、２，６−ジメチルヘプタン−２−オール、２，６−ノナジエナール、２−エチルヘキサノール、２−メチル吉草酸エチル、２−メチル酪酸エチル、８−メルカプトメントン、Ｌ−メントール、ｐ−クレジルメチルエーテル、ｐ−サイメン、α−ピネン、β−ピネン、アセトアルデヒドエチルフェニルエチルアセタール、アセトアルデヒドフェニルエチルプロピルアセタール、アセト酢酸エチル、イソ吉草酸イソプロピル、イソ吉草酸シス−３−ヘキセニル、イソ吉草酸プロピル、イソ吉草酸メチル、イソ酪酸エチル、イソ酪酸プロピル、エチルイソアミルケトン、オクタナール、オクタナールジメチルアセタール、オクタン酸エチル、オシメン、カプリル酸アリル、カプロン酸アリル、カプロン酸エチル、カプロン酸プロピル、カロン、ギ酸エチル、サリチル酸エチル、サリチル酸メチル、シス−３−ヘキセン−１−オール、シネンサール、ジヒドロミルセノール、ジメチルオクテノン、テルピノーレン、トランス−２−ヘキセナール、トランス−２−ヘキセノール、トランス−３−ヘキセノール、ノナナール、ファラオン、ブッコキシム、プレゴン、プロピオン酸エチル、プロピオン酸シス−３−ヘキセニル、ヘキサナール、ヘプタン酸エチル、ペリラアルデヒド、ベンズアルデヒド、ミルセノール、ミルセン、メチルパンプルムース、メチルヘプテノン、ラビエノキシム、リファローム、リモネン、リモネンオキサイド、ルバフラン、安息香酸メチル、吉草酸エチル、酢酸、酢酸１−オクテン−３−イル、酢酸アミル、酢酸イソアミル、酢酸イソブチル、酢酸エチル、酢酸シス−３−ヘキセニル、酢酸トランス−２−ヘキセニル、酢酸ブチル、酢酸プレニル、酢酸ヘキシル、酢酸ミルセニル、酪酸アミル、酪酸アリル、酪酸イソアミル、酪酸エチル、酪酸ブチル、酪酸プロピル、酪酸メチル、レモン油、オレンジ油、ライム油、ベルガモット油、ユーカリ油およびマンダリン油の群から選ばれる少なくとも１種以上の香料を含む請求項１〜３のいずれか１項に記載の調合香料。
【請求項５】
（Ｂ）ミドルノート成分が、（３−メトキシ−２−メチルプロピル）ベンゼン、１０−ウンデセナール、１０−ウンデセン−１−オール、１−ウンデカノール、１−オクタノール、１−ドデカノール、１−ノナノール、２−ｓｅｃ−ブチルシクロヘキサノン、２−ブチル−４，４，６−トリメチル−１，３−ジオキサン、２−ペンチルシクロペンタノン、２−メチル−３−（ｐ−メトキシフェニル）−プロパナール、３，７−ジメチル−２，６−ノナジエノニトリル、３−ドデセナール、３−フェニルプロピルアルコール、４−イソプロピルシクロヘキサノール、９−デセン−１−オール、ｌ−カルボン、ｐ−ｔｅｒｔ−ブチルヒドロシンナミックアルデヒド、ｐ−クレゾール、ｐ−メチルアセトフェノン、ｐ−メチルフェニルアセトアルデヒド、α−フェニルエチルアルコール、α−フェンキルアルコール、α−フェンコン、β−フェニルエチルアルコール、γ−ブチロラクトン、アセチルオイゲノール、アセチルセドレン、アセトアルデヒド２−フェニル−２，４−ペンタンジオールアセタール、アセトフェノン、アセト酢酸エチルエチレングリコールケタール、アセト酢酸エチルプロピレングリコールアセタール、アセト酢酸エチルプロピレングリコールケタール、アニスアルコール、アニスアルデヒド、アネトール、アフェルマート、アリルアミルグリコレート、アンゲリカ酸２−フェニルエチル、アンスラニル酸シス−３−ヘキセニル、イソシクロシトラール、イソボルネオール、イソ酪酸３−フェニルプロピル、インドール、ウンデカナール、エストラゴール、エチル−２−ｔｅｒｔ−ブチルシクロヘキシルカルボネート、エチルリナロール、オイゲノール、オクタナールジエチルアセタール、オクタン酸ｐ−クレジル、オクチンカルボン酸メチル、カプロン酸プロピル、カルバクロール、カンファー、ギ酸ゲラニル、ギ酸シトロネリル、ギ酸ネリル、グアヤコール、ゲラニアール、ゲラニオール、ゲラニルアセトン、ゲラニルニトリル、コアボン、サフラナール、サリチル酸２−フェニルエチル、サリチル酸イソブチル、シクラメンアルデヒド、シクロガルバネート、シクロシトラール、シクロヘキシルオキシ酢酸アリル、シクロヘキシル酪酸アリル、シトラール、シトラールジエチルアセタール、シトロネラール、シトロネリルオキシアセトアルデヒド、シトロネリルニトリル、シトロネロール、ジヒドロリナロール、ジフェニルオキサイド、ジメチルオクタノール、ジメチルフェニルエチルカルビノール、ジメチルベンジルカルビノール、ジャスマール、スザラール、ターピネオール、ターピネオール−４、チオゲラニオール、チモール、チャビコール、デカナール、テトラヒドロゲラニオール、テトラヒドロミルセノール、テトラヒドロムゴール、テトラヒドロリナロール、デュピカール、ドデカナール、ドデカンニトリル、ドデカン酸エチル、トリプラール、トリメチルウンデセナール、トリメチルペンチルシクロペンタノン、ネラール、ネロール、ヒドラトロパアルデヒド、ヒドラトロパアルデヒドエチレングリコールアセタール、ヒドラトロパアルデヒドジメチルアセタール、ヒドロキシシトロネラール、ヒドロキシシトロネラールジメチルアセタール、フェニルアセトアルデヒド、フェニルアセトアルデヒ��エチレングリコールアセタール、フェニルアセトアルデヒドグリセリルアセタール、フェニルアセトアルデヒドジメチルアセタール、フェニル酢酸イソブチル、フルーテート、フルトニル、フローヒドラール、プロピオン酸２−フェニルエチル、プロピオン酸アリル、プロピオン酸イソブチル、プロピオン酸イソボルニル、プロピオン酸ゲラニル、プロピオン酸シトロネリル、プロピオン酸トリシクロデセニル、プロピオン酸ベンジル、フロラロゾン、フロローサ、ヘプタン酸アリル、ヘプチンカルボン酸メチル、ベンジルアルコール、ホモフラネオール、ホモマイラックアルデヒド、ボルネオール、マイヨール、マイラックアルデヒド、マグノラン、マジャントール、マロン酸ジエチル、マンダリル、ミュゲットアルデヒド、メチルγ−デカラクトン、メチルオイゲノール、メチルノニルアセトアルデヒドジメチルアセタール、メチルフェニルグリシド酸エチル、メントン、リナロール、リナロールオキサイド、リメトール、リリアール、ルボフィックス、安息香酸イソブチル、安息香酸シス−３−ヘキセニル、安息香酸プロピル、吉草酸シス−３−ヘキセニル、酢酸１−エチニルシクロヘキシル、酢酸２−フェニルエチル、酢酸３−フェニルプロピル、酢酸ｌ−メンチル、酢酸ｏ−ｔｅｒｔ−ブチルシクロヘキシル、酢酸ｐ−ｔｅｒｔ−ブチルシクロヘキシル、酢酸ｐ−クレジル、酢酸イソボルニル、酢酸ゲラニル、酢酸シトロネリル、酢酸ジヒドロテルピニル、酢酸ジメチルフェニルエチルカルビニル、酢酸ジメチルベンジルカルビニル、酢酸スチラリル、酢酸セドリル、酢酸テトラヒドロゲラニル、酢酸テルピニル、酢酸トリシクロデセニル、酢酸ネリル、酢酸ノニル、酢酸フェンキル、酢酸ベンジル、酢酸リナリル、酪酸シクロヘキシル、酪酸シス−３−ヘキセニル、酪酸ジメチルベンジルカルビニル、クローブ油、コリアンダー油、ゼラニウム油、ラベンダー油およびローズマリー油の群から選ばれる少なくとも１種以上の香料を含む請求項１〜４のいずれか１項に記載の調合香料。
【請求項６】
（Ｃ）ベースノート成分が、２，２，６−トリメチルシクロヘキシル−３−ヘキサノール、２−メチル−３−（ｐ−メトキシフェニル）プロパノール、２−メチルウンデカナールジメチルアセタール、３，７−ジメチル−７−メトキシ−２−オクタノール、３−メチル−５−フェニルペンタノール−１、Ｎ−メチル−Ｎ−フェニル−２−メチルブチルアミド、Ｎ−メチルアントラニル酸メチル、ｐ−ｔｅｒｔ−ブチルシクロヘキサノール、α−ｎ−ヘキシルシンナミックアルデヒド、α−アミルシンナミックアルデヒド、α−ダイナスコン、β−カリオフィレン、β−ナフチルエチルエーテル、β−ナフチルメチルエーテル、β−メチルナフチルケトン、γ−ウンデカラクトン、γ−オクタラクトン、γ−ジャスモラクトン、γ−デカラクトン、γ−ドデカラクトン、γ−ノナラクトン、δ−ウンデカラクトン、δ−デカラクトン、δ−ドデカラクトン、δ−ノナラクトン、アセチルイソオイゲノール、アリルヨノン、アントラニル酸メチル、アンバーエクストリーム、アンバーケタール、アンバーコア、アンブリノール、アンブレットリド、アンブロキサン、イオノン類、イソ−Ｅ−スーパー、イソオイゲノール、イソカンフィルシクロヘキサノール、イソジャスモン、イソブチルキノリン、イソロンギホラノン、イソ吉草酸ゲラニル、イソ酪酸ゲラニル、イソ酪酸フェノキシエチル、イロン類、エチルバニリン、エチルマルトール、エチレンブラシレート、エバノール、オーランチオール、オクタン酸２−フェニルエチル、オコウマール、カシュメラン、カプロン酸２−フェニルエチル、ガラクソリド、カリオフィレンオキシド、クマリン、グリコリエラール、グリサルバ、ケイ皮酸エチル、ケイ皮酸シンナミル、ケイ皮酸メチル、ケファリス、サイクラメンアルデヒド、サリチル酸アミル、サリチル酸イソアミル、サリチル酸シクロヘキシル、サリチル酸シス−３−ヘキセニル、サリチル酸ヘキシル、サリチル酸ベンジル、サンダロール、シクロヘキサデセノン、シクロペンタデカノリド、シクロペンタデカノン、シスジャスモン、ジャスミンラクトン、シンナミックアルコール、シンナミックアルデヒド、スクラレオール、スピロガルバノン、セドリルメチルエーテル、セドレン、セドロール、セレストリド、ソトロン、ダマスコン類、ダマセノン類、チンベロール、テトラデカナール、トナリド、トラセオリド、トリモフィックスＯ、ヌートカトン、ネクタリル、ネロリドール、パチュリアルコール、バニリン、ハバノライド、バレリアン酸２−フェニルエチル、ヒドロシンナミックアルデヒド、ファルネセン、ファルネソール、フェニル酢酸、フェニル酢酸ｐ−クレジル、フェニル酢酸イソオイゲニル、フェニル酢酸オイゲニル、フェニル酢酸シトロネリル、フェニル酢酸フェニルエチル、フタール酸ジエチル、フラネオール、プロピオン酸シンナミル、プロピリデンフタリド、ペオニル、ベチベロール、ベラモス、ヘリオトロピン、ヘリオナール、ヘルベトライド、ベンジルイソオイゲノール、ベンゾフェノン、ポリサントール、ホルムアルデヒドシクロドデシルエチルアセタール、マルトール、ミリスチン酸メチル、ムスクケトン、ムスコン、メチルアトラレート、メチルイオノン類、メチルイソオイゲノール、メチルジヒドロ��ャスモネート、メチルトリメチルシクロペンテニルブテノール、ラズベリーケトン、リラール、ローズオキシド、ローズフェノン、ロマンドライド、ロンギホレン、安息香酸、合成サンダル、合成ムスク、酢酸グアヤック、酢酸シンナミル、酪酸２−フェニルエチル、酪酸ゲラニル、酪酸シトロネリル、オークモス油、オポポナックス油、パチュリ油、サンダルウッド油、シダーウッド油、スチラックス油、ガルバナム油、ベンゾイン油およびバニラ油の群から選ばれる少なくとも１種以上の香料を含む請求項１〜５のいずれか１項に記載の調合香料。
【請求項７】
請求項１〜６記載の調合香料を０．００１〜１０重量％含有する家庭用製品。
【請求項８】
前記、家庭用製品が皮膚洗浄剤組成物、毛髪洗浄剤組成物、ヘアコンディショナー組成物、ヘアリンス組成物、制汗剤組成物、デオドラント組成物、衣類用洗浄剤組成物、衣類用柔軟剤組成物、衣類用漂白剤組成物、食器用洗浄剤組成物、トイレ用洗浄剤組成物、浴室用洗浄剤組成物、キッチンまわり用洗浄剤組成物から選択される請求項７に記載の家庭用製品。
【発明の詳細な説明】
【技術分野】
【０００１】
本発明は、調合香料に関する。及び、本発明の調合香料を含有する皮膚洗浄剤組成物、毛髪洗浄剤組成物、ヘアコンディショナー組成物、ヘアリンス組成物、制汗剤組成物、デオドラント組成物、衣類用洗浄剤組成物、衣類用柔軟剤組成物、衣類用漂白剤組成物、食器用洗浄剤組成物、トイレ用洗浄剤組成物、浴室用洗浄剤組成物、キッチン周り用洗浄剤組成物等の家庭用製品に関する。
【背景技術】
【０００２】
前記の家庭用製品は所定の香質、香気、例えば、シトラス、フルーティ、グリーン、フローラル、アルデヒド、スパイシー、ウッディ、スイート、モッシー、ムスキー、アンバー、アニマル、ハーバル、マリン、およびミントノートなどに調製された香料組成物が種々提案されている。
【０００３】
特許文献１には界面活性剤と種々の香料成分を含む硬表面の洗浄剤組成物が挙げられている。これらの家庭用製品は洗浄性能などの基本性能だけでなく、家庭用製品を構成する基材臭や洗浄の対象場所の除菌や消臭などの機能も強く求められてきている。
【先行技術文献】
【特許文献】
【０００４】
【特許文献１】特開２００２−１７３６９８号公報
【発明の概要】
【発明が解決しようとする課題】
【０００５】
本発明は、優れたマスキング効果や消臭効果を有する調合香料を提供する。及びこれらの調合香料を含有する家庭用製品において、家庭用製品を構成する基材の臭気や使用場所における消臭機能を有する家庭用製品を提供する。
【課題を解決するための手段】
【０００６】
［１］本発明は（Ａ）トップノート成分及び／又は（Ｂ）ミドルノート成分及び／又は（Ｃ）ベースノート成分の群から選ばれる少なくとも１種以上の香料を含有する調合香料である。
［２］（Ａ）成分が０〜１００重量％、（Ｂ）成分が０〜１００重量％、（Ｃ）成分が０〜１００重量％の割合で含有する［１］に記載の調合香料。
［３］（Ａ）成分が３〜８０重量％、（Ｂ）成分が１０〜５０重量％、（Ｃ）成分が１０〜５０重量％の割合で含有する［１］〜［２］のいずれか一項に記載の調合香料。
［４］前記（Ａ）トップノート成分としては、１，４−シネオール、１，８−シネオール、１−オクテン−３−オール、１−ペンテン−３−オール、２，６−ジメチル−５−ヘプテナール、２，６−ジメチルヘプタン−２−オール、２，６−ノナジエナール、２−エチルヘキサノール、２−メチル吉草酸エチル、２−メチル酪酸エチル、８−メルカプトメントン、Ｌ−メントール、ｐ−クレジルメチルエーテル、ｐ−サイメン、α−ピネン、β−ピネン、アセトアルデヒドエチルフェニルエチルアセタール、アセトアルデヒドフェニルエチルプロピルアセタール、アセト酢酸エチル、イソ吉草酸イソプロピル、イソ吉草酸シス−３−ヘキセニル、イソ吉草酸プロピル、イソ吉草酸メチル、イソ酪酸エチル、イソ酪酸プロピル、エチルイソアミルケトン、オクタナール、オクタナールジメチルアセタール、オクタン酸エチル、オシメン、カプリル酸アリル、カプロン酸アリル、カプロン酸エチル、カプロン酸プロピル、カロン、ギ酸エチル、サリチル酸エチル、サリチル酸メチル、シス−３−ヘキセン−１−オール、シネンサール、ジヒドロミルセノール、ジメチルオクテノン、テルピノーレン、トランス−２−ヘキセナール、トランス−２−ヘキセノール、トランス−３−ヘキセノール、ノナナール、ファラオン、ブッコキシム、プレゴン、プロピオン酸エチル、プロピオン酸シス−３−ヘキセニル、ヘキサナール、ヘプタン酸エチル、ペリラアルデヒド、ベンズアルデヒド、ミルセノール、ミルセン、メチルパンプルムース、メチルヘプテノン、ラビエノキシム、リファローム、リモネン、リモネンオキサイド、ルバフラン、安息香酸メチル、吉草酸エチル、酢酸、酢酸１−オクテン−３−イル、酢酸アミル、酢酸イソアミル、酢酸イソブチル、酢酸エチル、酢酸シス−３−ヘキセニル、酢酸トランス−２−ヘキセニル、酢酸ブチル、酢酸プレニル、酢酸ヘキシル、酢酸ミルセニル、酪酸アミル、酪酸アリル、酪酸イソアミル、酪酸エチル、酪酸ブチル、酪酸プロピル、酪酸メチル、レモン油、オレンジ油、ライム油、ベルガモット油、ユーカリ油およびマンダリン油の群から選ばれる少なくとも１種以上の香料を含有する［１］〜［３］のいずれか１項に記載の調合香料。
［５］前記（Ｂ）ミドルノート成分としては、（３−メトキシ−２−メチルプロピル）ベンゼン、１０−ウンデセナール、１０−ウンデセン−１−オール、１−ウンデカノール、１−オクタノール、１−ドデカノール、１−ノナノール、２−ｓｅｃ−ブチルシクロヘキサノン、２−ブチル−４，４，６−トリメチル−１，３−ジオキサン、２−ペンチルシクロペンタノン、２−メチル−３−（ｐ−メトキシフェニル）−プロパナール、３，７−ジメチル−２，６−ノナジエノニトリル、３−ドデセナール、３−フェニルプロピルアルコール、４−イソプロピルシクロヘキサノール、９−デセン−１−オール、ｌ−カルボン、ｐ−ｔｅｒｔ−ブチルヒドロシンナミックアルデヒド、ｐ−クレゾール、ｐ−メチルアセトフェノン、ｐ−メチルフェニルアセトアルデヒド、α−フェニルエチルアルコール、α−フェンキルアルコール、α−フェンコン、β−フェニルエチルアルコール、γ−ブチロラクトン、アセチルオイゲノール、アセチルセドレン、アセトアルデヒド２−フェニル−２，４−ペンタンジオールアセタール、アセトフェノン、アセト酢酸エチルエチレングリコールケタール、アセト酢酸エチルプロピレングリコールアセタール、アセト酢酸エチルプロピレングリコールケタール、アニスアルコール、アニスアルデヒド、アネトール、アフェルマート、アリルアミルグリコレート、アンゲリカ酸２−フェニルエチル、アンスラニル酸シス−３−ヘキセニル、イソシクロシトラール、イソボルネオール、イソ酪酸３−フェニルプロピル、インドール、ウンデカナール、エストラゴール、エチル−２−ｔｅｒｔ−ブチルシクロヘキシルカルボネート、エチルリナロール、オイゲノール、オクタナールジエチルアセタール、オクタン酸ｐ−クレジル、オクチンカルボン酸メチル、カプロン酸プロピル、カルバクロール、カンファー、ギ酸ゲラニル、ギ酸シトロネリル、ギ酸ネリル、グアヤコール、ゲラニアール、ゲラニオール、ゲラニルアセトン、ゲラニルニトリル、コアボン、サフラナール、サリチル酸２−フェニルエチル、サリチル酸イソブチル、シクラメンアルデヒド、シクロガルバネート、シクロシトラール、シクロヘキシルオキシ酢酸アリル、シクロヘキシル酪酸アリル、シトラール、シトラールジエチルアセタール、シトロネラール、シトロネリルオキシアセトアルデヒド、シトロネリルニトリル、シトロネロール、ジヒドロリナロール、ジフェニルオキサイド、ジメチルオクタノール、ジメチルフェニルエチルカルビノール、ジメチルベンジルカルビノール、ジャスマール、スザラール、ターピネオール、ターピネオール−４、チオゲラニオール、チモール、チャビコール、デカナール、テトラヒドロゲラニオール、テトラヒドロミルセノール、テトラヒドロムゴール、テトラヒドロリナロール、デュピカール、ドデカナール、ドデカンニトリル、ドデカン酸エチル、トリプラール、トリメチルウンデセナール、トリメチルペンチルシクロペンタノン、ネラール、ネロール、ヒドラトロパアルデヒド、ヒドラトロパアルデヒドエチレングリコールアセタール、ヒドラトロパアルデヒドジメチルアセタール、ヒドロキシシトロネラール、ヒドロキシシトロネラールジメチルアセタール、フェニルアセトアルデヒド、フェニ��アセトアルデヒドエチレングリコールアセタール、フェニルアセトアルデヒドグリセリルアセタール、フェニルアセトアルデヒドジメチルアセタール、フェニル酢酸イソブチル、フルーテート、フルトニル、フローヒドラール、プロピオン酸２−フェニルエチル、プロピオン酸アリル、プロピオン酸イソブチル、プロピオン酸イソボルニル、プロピオン酸ゲラニル、プロピオン酸シトロネリル、プロピオン酸トリシクロデセニル、プロピオン酸ベンジル、フロラロゾン、フロローサ、ヘプタン酸アリル、ヘプチンカルボン酸メチル、ベンジルアルコール、ホモフラネオール、ホモマイラックアルデヒド、ボルネオール、マイヨール、マイラックアルデヒド、マグノラン、マジャントール、マロン酸ジエチル、マンダリル、ミュゲットアルデヒド、メチルγ−デカラクトン、メチルオイゲノール、メチルノニルアセトアルデヒドジメチルアセタール、メチルフェニルグリシド酸エチル、メントン、リナロール、リナロールオキサイド、リメトール、リリアール、ルボフィックス、安息香酸イソブチル、安息香酸シス−３−ヘキセニル、安息香酸プロピル、吉草酸シス−３−ヘキセニル、酢酸１−エチニルシクロヘキシル、酢酸２−フェニルエチル、酢酸３−フェニルプロピル、酢酸ｌ−メンチル、酢酸ｏ−ｔｅｒｔ−ブチルシクロヘキシル、酢酸ｐ−ｔｅｒｔ−ブチルシクロヘキシル、酢酸ｐ−クレジル、酢酸イソボルニル、酢酸ゲラニル、酢酸シトロネリル、酢酸ジヒドロテルピニル、酢酸ジメチルフェニルエチルカルビニル、酢酸ジメチルベンジルカルビニル、酢酸スチラリル、酢酸セドリル、酢酸テトラヒドロゲラニル、酢酸テルピニル、酢酸トリシクロデセニル、酢酸ネリル、酢酸ノニル、酢酸フェンキル、酢酸ベンジル、酢酸リナリル、酪酸シクロヘキシル、酪酸シス−３−ヘキセニル、酪酸ジメチルベンジルカルビニル、クローブ油、コリアンダー油、ゼラニウム油、ラベンダー油およびローズマリー油の群から選ばれる少なくとも１種以上の香料を含有する、［１］〜［４］のいずれか１項に記載の調合香料。
［６］前記（Ｃ）ベースノート成分としては、２，２，６−トリメチルシクロヘキシル−３−ヘキサノール、２−メチル−３−（ｐ−メトキシフェニル）プロパノール、２−メチルウンデカナールジメチルアセタール、３，７−ジメチル−７−メトキシ−２−オクタノール、３−メチル−５−フェニルペンタノール−１、Ｎ−メチル−Ｎ−フェニル−２−メチルブチルアミド、Ｎ−メチルアントラニル酸メチル、ｐ−ｔｅｒｔ−ブチルシクロヘキサノール、α−ｎ−ヘキシルシンナミックアルデヒド、α−アミルシンナミックアルデヒド、α−ダイナスコン、β−カリオフィレン、β−ナフチルエチルエーテル、β−ナフチルメチルエーテル、β−メチルナフチルケトン、γ−ウンデカラクトン、γ−オクタラクトン、γ−ジャスモラクトン、γ−デカラクトン、γ−ドデカラクトン、γ−ノナラクトン、δ−ウンデカラクトン、δ−デカラクトン、δ−ドデカラクトン、δ−ノナラクトン、アセチルイソオイゲノール、アリルヨノン、アントラニル酸メチル、アンバーエクストリーム、アンバーケタール、アンバーコア、アンブリノール、アンブレットリド、アンブロキサン、イオノン類、イソ−Ｅ−スーパー、イソオイゲノール、イソカンフィルシクロヘキサノール、イソジャスモン、イソブチルキノリン、イソロンギホラノン、イソ吉草酸ゲラニル、イソ酪酸ゲラニル、イソ酪酸フェノキシエチル、イロン類、エチルバニリン、エチルマルトール、エチレンブラシレート、エバノール、オーランチオール、オクタン酸２−フェニルエチル、オコウマール、カシュメラン、カプロン酸２−フェニルエチル、ガラクソリド、カリオフィレンオキシド、クマリン、グリコリエラール、グリサルバ、ケイ皮酸エチル、ケイ皮酸シンナミル、ケイ皮酸メチル、ケファリス、サイクラメンアルデヒド、サリチル酸アミル、サリチル酸イソアミル、サリチル酸シクロヘキシル、サリチル酸シス−３−ヘキセニル、サリチル酸ヘキシル、サリチル酸ベンジル、サンダロール、シクロヘキサデセノン、シクロペンタデカノリド、シクロペンタデカノン、シスジャスモン、ジャスミンラクトン、シンナミックアルコール、シンナミックアルデヒド、スクラレオール、スピロガルバノン、セドリルメチルエーテル、セドレン、セドロール、セレストリド、ソトロン、ダマスコン類、ダマセノン類、チンベロール、テトラデカナール、トナリド、トラセオリド、トリモフィックスＯ、ヌートカトン、ネクタリル、ネロリドール、パチュリアルコール、バニリン、ハバノライド、バレリアン酸２−フェニルエチル、ヒドロシンナミックアルデヒド、ファルネセン、ファルネソール、フェニル酢酸、フェニル酢酸ｐ−クレジル、フェニル酢酸イソオイゲニル、フェニル酢酸オイゲニル、フェニル酢酸シトロネリル、フェニル酢酸フェニルエチル、フタール酸ジエチル、フラネオール、プロピオン酸シンナミル、プロピリデンフタリド、ペオニル、ベチベロール、ベラモス、ヘリオトロピン、ヘリオナール、ヘルベトライド、ベンジルイソオイゲノール、ベンゾフェノン、ポリサントール、ホルムアルデヒドシクロドデシルエチルアセタール、マルトール、ミリスチン酸メチル、ムスクケトン、ムスコン、メチルアトラレート、メチルイオノン類、メチルイソオイゲノール��メチルジヒドロジャスモネート、メチルトリメチルシクロペンテニルブテノール、ラズベリーケトン、リラール、ローズオキシド、ローズフェノン、ロマンドライド、ロンギホレン、安息香酸、合成サンダル、合成ムスク、酢酸グアヤック、酢酸シンナミル、酪酸２−フェニルエチル、酪酸ゲラニル、酪酸シトロネリル、オークモス油、オポポナックス油、パチュリ油、サンダルウッド油、シダーウッド油、スチラックス油、ガルバナム油、ベンゾイン油およびバニラ油の群から選ばれる少なくとも１種以上の香料を含有する［１］〜［５］のいずれか１項に記載の調合香料。
［７］［１］〜［６］に記載の調合香料を０．００１〜１０重量％含有する家庭用製品。
［８］  家庭用製品が皮膚洗浄剤組成物、毛髪洗浄剤組成物、ヘアコンディショナー組成物、ヘアリンス組成物、制汗剤組成物、デオドラント組成物、衣類用洗浄剤組成物、衣類用柔軟剤組成物、衣類用漂白剤組成物、食器用洗浄剤組成物、トイレ用洗浄剤組成物、浴室用洗浄剤組成物、キッチンまわり用洗浄剤組成物から選択される［７］に記載の家庭用製品。
［９］  家庭用製品がカチオン界面活性剤、アニオン界面活性剤、ノニオン界面活性剤、両性界面活性剤、高分子界面活性剤の少なくとも１種以上含有してなる［７］〜［８］のいずれか１項に記載の家庭用製品。
［１０］  家庭用製品が浴室用洗浄剤、トイレ用洗浄剤、キッチンまわり用洗浄剤から選択される［７］〜［９］に記載の家庭用製品。
【発明の効果】
【０００７】
本願発明によれば家庭用製品に要求される所定の香質、香気、例えば、シトラス、フルーティ、グリーン、フローラル、アルデヒド、スパイシー、ウッディ、スイート、モッシー、ムスキー、アンバー、アニマル、ハーバル、マリン、およびミントノートなどに調製された本願発明の調合香料を家庭用製品に配合する事で、使用時には快い香りを有し、また使用後もしばらく匂い続ける持続性、残香性を付与することが出来る。
特に、本発明の調合香料を浴室用洗浄剤、トイレ用洗浄剤に配合することにより洗浄後の残香性によりカビ臭、下水臭、糞便臭などのマスキングに優れた効果を示し、これらに使用されている基材に対して安定で、基材臭のマスキングも可能である。さらに、香料成分によるアロマテラピー効果、ストレス緩和作用、また除菌・抗菌性も期待できるなど優れた効果が期待できる。
また、キッチンまわり用洗浄剤にあっては、トップノートを主体とした、先立ちの香りに特徴を有する本発明の調合香料を使用することにより、使用後には香りを残すことなく、上記と同じく換気扇、レンジフード、コンロ、オーブン、レンジまわりの壁や床に付着した種々の食物の臭気や油臭をマスキングすると共に、使用時に快い香りを賦与することができる。また、洗浄剤に使用されている基材臭のマスキングも可能であり、香料成分による除菌・抗菌性も期待できる。
【発明を実施するための形態】
【０００８】
本発明の香料成分（Ａ）トップノート成分、（Ｂ）ミドルノート成分、（Ｃ）ベースノート成分は各々の香料成分をエチルアルコールで約１０％程度に希釈し、それを匂い紙につけて室温に放置してどの位、香りが持続するかを観察することにより測定することができる。
【０００９】
＜（Ａ）トップノート成分＞
本発明の香料において（Ａ）トップノート成分とは、揮発度が高く、前記の匂い紙につけておくとその全部もしくは主要部分が約２時間程度以内に揮散してしまう合成または天然香料であって、芳香消臭組成物の匂いの第一印象を与えるために必要な部分である。
【００１０】
具体的には、１，４−シネオール、１，８−シネオール、１−オクテン−３−オール、１−ペンテン−３−オール、２，６−ジメチル−５−ヘプテナール、２，６−ジメチルヘプタン−２−オール、２，６−ノナジエナール、２−エチルヘキサノール、２−メチル吉草酸エチル、２−メチル酪酸エチル、８−メルカプトメントン、Ｌ−メントール、ｐ−クレジルメチルエーテル、ｐ−サイメン、α−ピネン、β−ピネン、アセトアルデヒドエチルフェニルエチルアセタール、アセトアルデヒドフェニルエチルプロピルアセタール、アセト酢酸エチル、イソ吉草酸イソプロピル、イソ吉草酸シス−３−ヘキセニル、イソ吉草酸プロピル、イソ吉草酸メチル、イソ酪酸エチル、イソ酪酸プロピル、エチルイソアミルケトン、オクタナール、オクタナールジメチルアセタール、オクタン酸エチル、オシメン、カプリル酸アリル、カプロン酸アリル、カプロン酸エチル、カプロン酸プロピル、カロン、ギ酸エチル、サリチル酸エチル、サリチル酸メチル、シス−３−ヘキセン−１−オール、シネンサール、ジヒドロミルセノール、ジメチルオクテノン、テルピノーレン、トランス−２−ヘキセナール、トランス−２−ヘキセノール、トランス−３−ヘキセノール、ノナナール、ファラオン、ブッコキシム、プレゴン、プロピオン酸エチル、プロピオン酸シス−３−ヘキセニル、ヘキサナール、ヘプタン酸エチル、ペリラアルデヒド、ベンズアルデヒド、ミルセノール、ミルセン、メチルパンプルムース、メチルヘプテノン、ラビエノキシム、リファローム、リモネン、リモネンオキサイド、ルバフラン、安息香酸メチル、吉草酸エチル、酢酸、酢酸１−オクテン−３−イル、酢酸アミル、酢酸イソアミル、酢酸イソブチル、酢酸エチル、酢酸シス−３−ヘキセニル、酢酸トランス−２−ヘキセニル、酢酸ブチル、酢酸プレニル、酢酸ヘキシル、酢酸ミルセニル、酪酸アミル、酪酸アリル、酪酸イソアミル、酪酸エチル、酪酸ブチル、酪酸プロピル、酪酸メチル、レモン油、オレンジ油、ライム油、ベルガモット油、ユーカリ油およびマンダリン油が挙げられる。
＜（Ｂ）ミドルノート成分＞
本発明の香料成分において（Ｂ）ミドルノート成分とは、中程度の揮発度を有し、前記の匂い紙につけておくとその全部もしくは主要部分が約２〜６時間程度匂いが持続する合成または天然香料であって、芳香消臭組成物の骨格をなす部分である。
具体的には、（３−メトキシ−２−メチルプロピル）ベンゼン、１０−ウンデセナール、１０−ウンデセン−１−オール、１−ウンデカノール、１−オクタノール、１−ドデカノール、１−ノナノール、２−ｓｅｃ−ブチルシクロヘキサノン、２−ブチル−４，４，６−トリメチル−１，３−ジオキサン、２−ペンチルシクロペンタノン、２−メチル−３−（ｐ−メトキシフェニル）−プロパナール、３，７−ジメチル−２，６−ノナジエノニトリル、３−ドデセナール、３−フェニルプロピルアルコール、４−イソプロピルシクロヘキサノール、９−デセン−１−オール、ｌ−カルボン、ｐ−ｔｅｒｔ−ブチルヒドロシンナミックアルデヒド、ｐ−クレゾール、ｐ−メチルアセトフェノン、ｐ−メチルフェニルアセトアルデヒド、α−フェニルエチルアルコール、α−フェンキルアルコール、α−フェンコン、β−フェニルエチルアルコール、γ−ブチロラクトン、アセチルオイゲノール、アセチルセドレン、アセトアルデヒド２−フェニル−２，４−ペンタンジオールアセタール、アセトフェノン、アセト酢酸エチルエチレングリコールケタール、アセト酢酸エチルプロピレングリコールアセタール、アセト酢酸エチルプロピレングリコールケタール、アニスアルコール、アニスアルデヒド、アネトール、アフェルマート、アリルアミルグリコレート、アンゲリカ酸２−フェニルエチル、アンスラニル酸シス−３−ヘキセニル、イソシクロシトラール、イソボルネオール、イソ酪酸３−フェニルプロピル、インドール、ウンデカナール、エストラゴール、エチル−２−ｔｅｒｔ−ブチルシクロヘキシルカルボネート、エチルリナロール、オイゲノール、オクタナールジエチルアセタール、オクタン酸ｐ−クレジル、オクチンカルボン酸メチル、カプロン酸プロピル、カルバクロール、カンファー、ギ酸ゲラニル、ギ酸シトロネリル、ギ酸ネリル、グアヤコール、ゲラニアール、ゲラニオール、ゲラニルアセトン、ゲラニルニトリル、コアボン、サフラナール、サリチル酸２−フェニルエチル、サリチル酸イソブチル、シクラメンアルデヒド、シクロガルバネート、シクロシトラール、シクロヘキシルオキシ酢酸アリル、シクロヘキシル酪酸アリル、シトラール、シトラールジエチルアセタール、シトロネラール、シトロネリルオキシアセトアルデヒド、シトロネリルニトリル、シトロネロール、ジヒドロリナロール、ジフェニルオキサイド、ジメチルオクタノール、ジメチルフェニルエチルカルビノール、ジメチルベンジルカルビノール、ジャスマール、スザラール、ターピネオール、ターピネオール−４、チオゲラニオール、チモール、チャビコール、デカナール、テトラヒドロゲラニオール、テトラヒドロミルセノール、テトラヒドロムゴール、テトラヒドロリナロール、デュピカール、ドデカナール、ドデカンニトリル、ドデカン酸エチル、トリプラール、トリメチルウンデセナール、トリメチルペンチルシクロペンタノン、ネラール、ネロール、ヒドラトロパアルデヒド、ヒドラトロパアルデヒドエチレングリコールアセタール、ヒドラトロパアルデヒドジメチルアセタール、ヒドロキシシトロネラール、ヒドロキシシトロネラールジメチルアセタール、フェニルアセトアルデヒド、フェニルアセトアルデヒドエチレングリ��ールアセタール、フェニルアセトアルデヒドグリセリルアセタール、フェニルアセトアルデヒドジメチルアセタール、フェニル酢酸イソブチル、フルーテート、フルトニル、フローヒドラール、プロピオン酸２−フェニルエチル、プロピオン酸アリル、プロピオン酸イソブチル、プロピオン酸イソボルニル、プロピオン酸ゲラニル、プロピオン酸シトロネリル、プロピオン酸トリシクロデセニル、プロピオン酸ベンジル、フロラロゾン、フロローサ、ヘプタン酸アリル、ヘプチンカルボン酸メチル、ベンジルアルコール、ホモフラネオール、ホモマイラックアルデヒド、ボルネオール、マイヨール、マイラックアルデヒド、マグノラン、マジャントール、マロン酸ジエチル、マンダリル、ミュゲットアルデヒド、メチルγ−デカラクトン、メチルオイゲノール、メチルノニルアセトアルデヒドジメチルアセタール、メチルフェニルグリシド酸エチル、メントン、リナロール、リナロールオキサイド、リメトール、リリアール、ルボフィックス、安息香酸イソブチル、安息香酸シス−３−ヘキセニル、安息香酸プロピル、吉草酸シス−３−ヘキセニル、酢酸１−エチニルシクロヘキシル、酢酸２−フェニルエチル、酢酸３−フェニルプロピル、酢酸ｌ−メンチル、酢酸ｏ−ｔｅｒｔ−ブチルシクロヘキシル、酢酸ｐ−ｔｅｒｔ−ブチルシクロヘキシル、酢酸ｐ−クレジル、酢酸イソボルニル、酢酸ゲラニル、酢酸シトロネリル、酢酸ジヒドロテルピニル、酢酸ジメチルフェニルエチルカルビニル、酢酸ジメチルベンジルカルビニル、酢酸スチラリル、酢酸セドリル、酢酸テトラヒドロゲラニル、酢酸テルピニル、酢酸トリシクロデセニル、酢酸ネリル、酢酸ノニル、酢酸フェンキル、酢酸ベンジル、酢酸リナリル、酪酸シクロヘキシル、酪酸シス−３−ヘキセニル、酪酸ジメチルベンジルカルビニル、クローブ油、コリアンダー油、ゼラニウム油、ラベンダー油およびローズマリー油が挙げられる。
＜（Ｃ）ベースノート成分＞
本発明の香料成分において（Ｃ）ベーストート成分とは、揮発度が低く保留性に富み、前記の匂い紙につけておくと約６時間以上匂い紙に匂いが残る合成または天然香料であって、芳香消臭組成物の特徴を示す部分である。
具体的には、２，２，６−トリメチルシクロヘキシル−３−ヘキサノール、２−メチル−３−（ｐ−メトキシフェニル）プロパノール、２−メチルウンデカナールジメチルアセタール、３，７−ジメチル−７−メトキシ−２−オクタノール、３−メチル−５−フェニルペンタノール−１、Ｎ−メチル−Ｎ−フェニル−２−メチルブチルアミド、Ｎ−メチルアントラニル酸メチル、ｐ−ｔｅｒｔ−ブチルシクロヘキサノール、α−ｎ−ヘキシルシンナミックアルデヒド、α−アミルシンナミックアルデヒド、α−ダイナスコン、β−カリオフィレン、β−ナフチルエチルエーテル、β−ナフチルメチルエーテル、β−メチルナフチルケトン、γ−ウンデカラクトン、γ−オクタラクトン、γ−ジャスモラクトン、γ−デカラクトン、γ−ドデカラクトン、γ−ノナラクトン、δ−ウンデカラクトン、δ−デカラクトン、δ−ドデカラクトン、δ−ノナラクトン、アセチルイソオイゲノール、アリルヨノン、アントラニル酸メチル、アンバーエクストリーム、アンバーケタール、アンバーコア、アンブリノール、アンブレットリド、アンブロキサン、イオノン類、イソ−Ｅ−スーパー、イソオイゲノール、イソカンフィルシクロヘキサノール、イソジャスモン、イソブチルキノリン、イソロンギホラノン、イソ吉草酸ゲラニル、イソ酪酸ゲラニル、イソ酪酸フェノキシエチル、イロン類、エチルバニリン、エチルマルトール、エチレンブラシレート、エバノール、オーランチオール、オクタン酸２−フェニルエチル、オコウマール、カシュメラン、カプロン酸２−フェニルエチル、ガラクソリド、カリオフィレンオキシド、クマリン、グリコリエラール、グリサルバ、ケイ皮酸エチル、ケイ皮酸シンナミル、ケイ皮酸メチル、ケファリス、サイクラメンアルデヒド、サリチル酸アミル、サリチル酸イソアミル、サリチル酸シクロヘキシル、サリチル酸シス−３−ヘキセニル、サリチル酸ヘキシル、サリチル酸ベンジル、サンダロール、シクロヘキサデセノン、シクロペンタデカノリド、シクロペンタデカノン、シスジャスモン、ジャスミンラクトン、シンナミックアルコール、シンナミックアルデヒド、スクラレオール、スピロガルバノン、セドリルメチルエーテル、セドレン、セドロール、セレストリド、ソトロン、ダマスコン類、ダマセノン類、チンベロール、テトラデカナール、トナリド、トラセオリド、トリモフィックスＯ、ヌートカトン、ネクタリル、ネロリドール、パチュリアルコール、バニリン、ハバノライド、バレリアン酸２−フェニルエチル、ヒドロシンナミックアルデヒド、ファルネセン、ファルネソール、フェニル酢酸、フェニル酢酸ｐ−クレジル、フェニル酢酸イソオイゲニル、フェニル酢酸オイゲニル、フェニル酢酸シトロネリル、フェニル酢酸フェニルエチル、フタール酸ジエチル、フラネオール、プロピオン酸シンナミル、プロピリデンフタリド、ペオニル、ベチベロール、ベラモス、ヘリオトロピン、ヘリオナール、ヘルベトライド、ベンジルイソオイゲノール、ベンゾフェノン、ポリサントール、ホルムアルデヒドシクロドデシルエチルアセタール、マルトール、ミリスチン酸メチル、ムスクケトン、ムスコン、メチルアトラレート、メチルイオノン類、メチルイソオイゲノール、メチルジヒドロジャスモネート��メチルトリメチルシクロペンテニルブテノール、ラズベリーケトン、リラール、ローズオキシド、ローズフェノン、ロマンドライド、ロンギホレン、安息香酸、合成サンダル、合成ムスク、酢酸グアヤック、酢酸シンナミル、酪酸２−フェニルエチル、酪酸ゲラニル、酪酸シトロネリル、オークモス油、オポポナックス油、パチュリ油、サンダルウッド油、シダーウッド油、スチラックス油、ガルバナム油、ベンゾイン油およびバニラ油が挙げられる。
本発明の香料成分は目的に応じ混合して使用することが出来る。例えば（Ａ）トップノート成分が０〜１００重量％、（Ｂ）ミドルノート成分が０〜１００重量％、（Ｃ）ベースノート成分が０〜１００重量％、の範囲で使用されるが、通常は、（Ａ）トップノート成分が５〜１００重量％、（Ｂ）ミドルノート成分が１０〜５０重量％、（Ｃ）ベースノート成分が１０〜５０重量％の範囲で使用することが好ましい。。
＜調合香料の任意成分＞
本発明の調合香料は、劣化を抑制するため、必要により公知の酸化防止剤、光劣化防止剤を添加することができる。［周知・慣用技術集（香料）第１部  香料一般  ２・４  香料の保存技術  １４１頁、平成１１．１．２９．発行］。
また、必要により、溶剤・保留剤・保香剤（エタノール、エチレングリコール、プロピレングリコール、ジプロピレングリコール、クエン酸トリエチル、安息香酸ベンジル、ミリスチン酸イソプロピル、ハーコリン等）、酸化防止剤（ジブチルヒドロキシトルエン等）、公知の天然・合成色素、公知の乳化剤、可溶化剤、冷感剤・温感剤、エンハンサーなどを適宜に添加することもできる［周知・慣用技術集（香料）第１部  香料一般  ２・３・８乳化・可溶化、２・６・１１保留剤・保香剤、２・６・１２エンハンサー、２・６・１３冷感剤・温感剤  平成１１．１．２９発行］。
前記（Ａ）トップノート成分、（Ｂ）ミドルノート成分、（Ｃ）ベースノート成分に記載の香料中に、幾何異性体あるいは光学異性体が存在する場合は、これらを含むものであり、また、該合成香料を含む天然精油も使用することができる。
【００１１】
＜調合香料の用途＞
本発明の調合香料は、皮膚洗浄剤組成物、毛髪洗浄剤組成物、ヘアコンディショナー組成物、ヘアリンス組成物、制汗剤組成物、デオドラント組成物、衣類用洗浄剤組成物、衣類用柔軟剤組成物、衣類用漂白剤組成物、食器用洗浄剤組成物、トイレ用洗浄剤組成物、浴室用洗浄剤組成物、キッチンまわり用洗浄剤組成物などの家庭用製品に適用することが出来る。
各種の家庭用製品に用途に応じ適量配合する事で、使用時には快い香りを有し、また使用後もしばらく匂い続ける持続性、残香性を付与することが出来る。これら家庭用製品中の調合香料は０．００１〜１０重量％含有することが好ましい。
特に、本発明の調合香料を浴室用洗浄剤、トイレ用洗浄剤に配合することにより洗浄後の残香性によりカビ臭、下水臭、糞便臭などのマスキング及び、これらに使用されている基材に対して安定で、基材臭のマスキング効果を有する。
また、キッチンまわり用洗浄剤にあっては、トップノートを主体とした、先立ちの香りに特徴を有する本発明の調合香料を使用することにより、使用後には香りを残すことなく、上記と同じく換気扇、レンジフード、コンロ、オーブン、レンジまわりの壁や床に付着した種々の食物の臭気や油臭をマスキングすると共に、使用時に快い香りを付与することができる。また、洗浄剤に使用されている基材臭のマスキングも可能であり、香料成分による除菌・抗菌性も期待できる。
本発明の調合香料は家庭用製品の中でもトイレ用洗浄剤組成物、浴室用洗浄剤組成物、キッチンまわり用洗浄剤組成物に特に好適に使用することが出来る。
＜界面活性剤＞
前記、家庭用製品には通常使用される界面活性剤を用いることが出来る。本発明の調合香料はこれらの界面活性剤や他の成分の基材臭を効率よくマスキングすることが出来る。
界面活性剤としては例えば、アニオン界面活性剤、ノニオン界面活性剤、両性界面活性剤、カチオン界面活性剤等を用いることが好ましい。
アニオン界面活性剤としては、石鹸および石鹸以外のアニオン界面活性剤（非石ケン系アニオン界面活性剤）が挙げられる。
［石鹸］
石鹸としては、例えば炭素数８〜２４の飽和又は不飽和脂肪酸塩が好ましい。例えば炭素数１２〜Ｃ１８の飽和及び不飽和脂肪酸、これらの混合物であるヤシ油脂肪酸、硬化ヤシ油脂肪酸、パーム油脂肪酸、硬化パーム油脂肪酸、牛脂脂肪酸、または硬化牛脂脂肪酸などの高級脂肪酸の塩が挙げられる。より具体的には、例えばラウリン酸カリウム、ミリスチン酸カリウム、ステアリン酸カリウムなどが挙げられる。
上記脂肪酸塩は、そのものを配合しても良いし、洗浄剤組成物中に脂肪酸とアルカリをそれぞれ別々に配合して、中和して用いても良い。石鹸は、特にすすぎ時の泡立ちを抑制する効果に優れる。
［非石鹸系アニオン界面活性剤］
非石ケン系アニオン界面活性剤しては、直鎖アルキルベンゼンスルホン酸塩（ＬＡＳ）、アルキル硫酸塩（ＡＳ）、ポリオキシエチレンアルキルエーテル硫酸塩（ＡＥＳ）、α−オレフィンスルホン酸塩（ＡＯＳ）、内部オレフィンスルホン酸塩（ＩＯＳ）、アルカンスルホン酸塩、α−スルホ脂肪酸エステル塩（α−ＳＦ）、ポリオキシエチレンアルキルエーテルカルボン酸塩等が挙げられる。
非石ケン系アニオン界面活性剤は浴室用洗浄剤に用いた場合、特に洗浄力に優れる。
直鎖アルキルベンゼンスルホン酸塩は、アルキル基の炭素数が１０〜２０のものが好ましく、炭素数１０〜１６のものがより好ましい。
アルキル硫酸塩としてはアルキル基の炭素数が１０〜２０のものが好ましく、炭素数が１０〜１６のものがより好ましい。
ポリオキシエチレンアルキルエーテル硫酸塩としては炭素数１０〜２０のアルキル基を有し、エチレンオキサイドの平均付加モル数が１〜１０のものがより好ましい。
α−オレフィンスルホン酸塩、内部オレフィンスルホン酸塩としてはオレフィン部の炭素数が１０〜２０のものが好ましく、炭素数１０〜１８のものがより好ましい。
アルカンスルホン酸塩としてはアルキル基の炭素数１０〜２０のものが好ましく、１０〜１６のアルキル基のものがより好ましい。
α-スルホ脂肪酸エステル塩としては脂肪酸に由来するアルキル基の炭素数が１０〜２０のものが好ましく、該アルキル基の炭素数が１０〜１８のものがより好ましい。
ポリオキシエチレンアルキルエーテルカルボン酸塩としてはアルキル基の炭素数１０〜２０のものが好ましく、エチレンオキサイドの平均付加モル数が１〜１０のものがより好ましい。
上記の中でも、直鎖アルキルベンゼンスルホン酸塩、アルキル硫酸塩、α-オレフィンスルホン酸塩、内部オレフィンスルホン酸塩、ポリオキシエチレンアルキルエーテル硫酸塩、α-スルホ脂肪酸エステル塩が好ましく、α-オレフィンスルホン酸塩がより好ましい。
これらの非石鹸系アニオン界面活性剤の塩の形態としては、ナトリウム塩、カリウム塩等のアルカリ金属塩、モノエタノールアンモニウム塩、ジエタノールアンモニウム塩等のアルカノールアンモニウム塩等が挙げられる。これらの中でも、アルカリ金属塩が好ましく、ナトリウム塩、カリウム塩がより好ましく、ナトリウム塩がさらに好ましい。
［非イオン界面活性剤］
非イオン界面活性剤としては、ポリオキシエチレンアルキルエーテル、ポリオキシエチレンポリオキシプロピレンアルキルエーテル、ポリオキシエチレンアルキルフェニルエーテル、脂肪酸ポリグリセリンエステル、脂肪酸ショ糖エステル、脂肪酸アルカノールアミドなどが挙げられる。
上記の中でも、ポリオキシエチレンアルキルエーテルが好ましく、非イオン界面活性剤がポリオキシエチレンアルキルエーテルを含むことが特に好ましい。
［両性界面活性剤］
両性界面活性剤の種類は特に限定されず、公知の両性界面活性剤から適宜選択できる。たとえば両性界面活性剤としては、アルキルベタイン型、アルキルアミドベタイン型、イミダゾリン型、アルキルアミノスルホンベタイン型等のベタイン型両性界面活性剤、アルキルアミノカルボン酸型、アルキルアミドカルボン酸型、Ｎ−アシルアミノ酸塩、Ｎ−アシルメチルタウリン塩、アルキルアミノ酸型等のアミノ酸型両性界面活性剤、リン酸型両性界面活性剤、アルキルアミンオキシド型界面活性剤などが挙げられる。
上記の中でも、泡立ちや洗浄力に優れるベタイン型両性界面活性剤が好ましく、ベタイン型両性界面活性剤としてはラウリルジメチルアミノ酢酸ベタインを含むことが特に好ましい。
［任意成分］
住居用洗浄剤には目的に応じ通常使用される添加剤を使用することが出来る。例えばクエン酸やＥＤＴＡなどのキレート剤、ブチルカルビトールやフェノキシエタノールなどの溶剤、ポリヘキサメチレンビグアニド、銀化合物、亜鉛化合物、イソチアゾリン系の除菌剤や抗菌剤。ｐＨ調整剤、色素、酸化防止剤、増粘剤、紫外線吸収剤、可溶化剤などが挙げられる。
また本発明に用いられる家庭用製品は吐出容器に収納されていてもよい。吐出容器としてはスプレー容器やスクイズ容器などが挙げられるが、洗浄対象に対する塗布性に優れることから、スプレー容器が好ましい。スプレー容器としては、エアゾールスプレー容器、トリガースプレー容器（直圧型あるいは蓄圧型）、ディスペンサースプレー容器などが挙げられる。これらの容器は手動式のものでもよいし、電動式のものでもよい。家庭用製品がトイレ用洗浄剤組成物、浴室用洗浄剤組成物、キッチンまわり用洗浄剤組成物である場合、スプレー容器に充填されていることが特に好ましい。
【実施例】
【００１２】
以下に実施例を示し、本発明をさらに具体的に説明するが、本発明はこれらの実施例に限定されるものではない。
［調合香料組成物］
表１〜８に示す成分について本発明の調合香料組成物１〜４を調整した。表中「Ａ」は（Ａ）成分のトップノート成分、「Ｂ」は（Ｂ）成分のミドルノート成分、「Ｃ」は（Ｃ）成分のベースノート成分、「任」は任意成分を表す。また、表９には調合香料組成物１〜４中の（Ａ）成分の合計質量％、（Ｂ）成分の合計質量％、（Ｃ）成分の合計質量％、を示した。表内の数値は質量％を示し、特に記載が無い限り純分の質量％を示す。
［家庭用製品組成物］
調合香料組成物１〜４を含有する浴室用洗浄剤組成物（Ｙ−１、Ｙ−２）、トイレ用洗浄剤組成物（Ｔ−１、Ｔ−２、Ｔ−３、Ｔ−４）、キッチンまわり用洗浄剤組成物（Ｒ−１）を表１０に示す組成にて調整した。表内の数値は質量％を示し、特に記載が無い限り純分の質量％を示す。
＜使用原料＞
（アニオン界面活性剤）
・ＬＡＳ：Ｃ１０〜１６の直鎖アルキルベンゼンスルホン酸ナトリウム、ライオン社製「ライポンＰＳ−２３０」
尚、前記「Ｃ１０」の「Ｃ」は炭素数を意味し、以下同様である。
・Ｃ１４ＡＯＳ：Ｃ１４−αオレフィンスルホン酸ナトリウム、ライオン・スペシャリティ・ケミカルズ社製「リポランＬＪ４４１」
・ＳＡＳ：Ｃ１４〜１７の２級アルカンスルホン酸ナトリウム、クラリアントジャパン社製「ＨＯＳＴＡＰＵＲ  ＳＡＳ  ３０Ａ」
・ヤシ油脂肪酸カリウム：ライオン社製「ヤシ油脂肪酸カリウム」
・ミリスチン酸カリウム：日油社製「ノンサールＭＫ−１」
（両性界面活性剤・アミンオキシド型界面活性剤）
・ラウリルジメチルアミノ酢酸ベタイン：三洋化成工業社製「レボンＬＤ−３６」
・ラウリン酸アミドプロピルベタイン：ライオン社製「エナジコールＬ−３０Ｂ」
・Ｃ１２アミンオキシド：ｎ−ドデシルジメチルアミンオキシド、ライオン・スペシャリティ・ケミカルズ社製「カデナックス  ＤＭ１２Ｄ−Ｗ」
（非イオン界面活性剤）
・ＬＭＡＯ：ポリオキシエチレンアルキル（Ｃ１２〜１４、直鎖１００％）エーテル［エチレンオキシドの平均付加モル数１５］、ライオン社製「ＬＭＡＯ−９０」
・Ｃ１３（ＥＯ７）：ポリオキシエチレンアルキル（Ｃ１３、分岐１００％）エーテル［エチレンオキシドの平均付加モル数７］、ＢＡＳＦ社製「Ｌｕｔｅｎｓｏｌ  ＴＯ−７」
・Ｃ１０（ＥＯ８）：ポリオキシエチレンモノ（２−プロピルへプチル）エーテル（ＥＯ８）、ＢＡＳＦ社製「Ｌｕｔｅｎｓｏｌ  ＸＰ８０」。
・Ｃ１３−１５（ＥＯ３）：ポリオキシエチレンアルキル（Ｃ１３〜１５）エーテル  ［エチレンオキシドの平均付加モル数３］、ＢＡＳＦ社製「Ｌｕｔｅｎｓｏｌ  ＡＯ−３」
・Ｃ１８（ＥＯ５）：ポリオキシエチレンイソステアリルエーテル［エチレンオキシドの平均付加モル数５］、日本エマルジョン社製「エマレックス１８０５」
（キレート剤）
・ＥＤＴＡ：エチレンジアミン四酢酸二ナトリウム（ＥＤＴＡ２Ｎａ）、アクゾノーベル社製「ディゾルビンＮＡ２」
・クエン酸：扶桑化学工業社製「精製クエン酸（無水）」
（溶剤）
・ブチルジグリコール：ジエチレングリコールモノブチルエーテル、日本乳化剤社製「ブチルジグリコール」
・フェニルグリコール：エチレングリコールモノフェニルエーテル、日本乳化剤社製「フェニルグリコール」
・プロピレングリコール：和光純薬工業社製
・エタノール：日本アルコール販売社製「合成９５」
・トリエタノールアミン：純正化学社製
（増粘剤）
・キサンタンガム：ケルコ社製「ケルザンＴ」
・ポリビニルアルコール：クラレ社製「ＰＶＡ−２１７」
・ＣＭＣ：カルボキシメチルセルロース、ダイセル化学社製「ＣＭＣ１２６０」
（除菌剤・抗菌剤）
・銀系抗菌剤：ダウケミカル日本社製「ＳＩＬＶＡＤＵＲ  ９３０  Ａｎｔｉｍｉｃｒｏｂｉａｌ」（銀元素濃度０．１％）
・ポリリジン：ＪＮＣ社製「ポリリジン」
・２−メチル−４−イソチアゾリン−３−オン  （ＭＩＴ）：ソー・ジャパン社製「ＡＣＴＩＣＩＤＥ(R)Ｍ２０」
・ポリヘキサメチレンビグアニド塩酸塩：アーチ・ケミカル・ジャパン社製「Ｐｒｏｘｅｌ  ＩＢ」
・塩化ドデシルトリメチルアンモニウム：ライオン・スペシャリティ・ケミカルズ社製「リポカード１２−３７ｗ」
・塩化ステアリルトリメチルアンモニウム：ライオン・スペシャリティ・ケミカルズ社製「リポカードＴ−８３３」
・塩化ベンザルコニウム：ライオン・スペシャリティ・ケミカルズ社製、リポガードＣＢ−５０
（色素）
・青色１号：アクゾノーベル社製
・緑色３号：癸巳化成社製
・ダイレクトブルー８６：住友化学工業社製「Ｓｕｍｉｌｉｇｈｔ  Ｓｕｐｒａ  Ｔｕｒｑｕｉｓｅ  Ｂｌｕｅ  Ｇ  ｃｏｎｃ」
（ｐＨ調整剤）
・ｐＨ調整剤：１Ｎ水酸化ナトリウム、１Ｎ塩酸、１Ｎ硫酸、関東化学株式会社製
＜評価方法＞
［家庭用製品の基材臭の評価］
実施例１〜８４（表１１〜１７）に示す各家庭用製品の組成物を１００ｍｌガラス瓶に５０ｇ充填し、キャップを閉めて２５℃で１時間放置後、キャップを開け臭気を嗅ぎ基材臭を評価した。なお、基材臭は本発明の調合香料を含有しない組成物を対象に専門パネラーにて以下の評価基準にて評価した。
＜評価基準＞
◎：対象と比べ明らかに基材臭が少ない
〇：対象と比べ基材臭が少ない
△：対象と比べやや基材臭が少ない
×：対象と同程度の基材臭を有する
［家庭用製品のマスキング効果の評価］
実施例２、５、８、１１、１４、１７、２０、２３に示す浴室用洗浄剤組成物はライオン社製「おふろのルック」トリガースプレーに充填し実家庭の浴槽を洗浄後、洗浄前と比べ浴室のにおいのマスキング効果を評価した。
実施例２６、２９、３２、３５に示すトイレ用洗浄剤はライオン社製「トイレのルック」の吐出容器に充填し、実家庭のトイレを洗浄後、洗浄前と比べトイレのにおいのマスキング効果を評価した。
実施例３８、４１、４４、４７、５０、５３、５６、５９、６２、６５、６８、７１に示す組成物は、ライオン社製「ルックまめピカトイレの拭き取りクリーナー」のトリガースプレー容器に充填し、トイレを洗浄後、洗浄前と比べトイレのにおいのマスキング効果を評価した。
実施例７４、７７、８０、８３に示すキッチン用洗浄剤組成物はライオン社製「レンジまわりのルック」のトリガースプレーに充填し、実家庭のレンジまわりを洗浄後、洗浄前と比べレンジまわりのにおいのマスキング効果を評価した。
尚、マスキング効果の評価は専門パネラーが以下の基準に基づいて評価した。
＜評価基準＞
◎：洗浄前と比べ、洗浄後は嫌なにおいが明らかにマスキングされている。
【００１３】
〇：洗浄前と比べ、洗浄後は嫌なにおいがかなりマスキングされている。
【００１４】
△：洗浄前と比べ、洗浄後は嫌なにおいがややマスキングされている。
【００１５】
×：洗浄前と比べ、洗浄後は嫌なにおいが変わらない。
【００１６】
【表１】
2020132680.tif 000002
【００１７】
【表２】
2020132680.tif 000003
【００１８】
【表３】
2020132680.tif 000004
【００１９】
【表４】
2020132680.tif 000005
【００２０】
【表５】
2020132680.tif 000006
【００２１】
【表６】
2020132680.tif 000007
【００２２】
【表７】
2020132680.tif 000008
【００２３】
【表８】
2020132680.tif 000009
【００２４】
【表９】
2020132680.tif 000010
【００２５】
【表１０】
2020132680.tif 000011
【００２６】
【表１１】
2020132680.tif 000012
【００２７】
【表１２】
2020132680.tif 000013
【００２８】
【表１３】
2020132680.tif 000014
【００２９】
【表１４】
2020132680.tif 000015
【００３０】
【表１５】
2020132680.tif 000016
【００３１】
【表１６】
2020132680.tif 000017
【００３２】
【表１７】
2020132680.tif 000018
【００３３】
［評価結果］
表１１〜１７に示すように、本発明の調合香料を含有する家庭用製品は基材臭の抑制に優れていた。  また、本発明の調合香料を含有する家庭用製品を用いることで、浴室やトイレ及びレンジのまわりの嫌なにおいのマスキング効果に優れていた。また、これらの組成物は使用時には快い香りを有し、使用後もしばらく匂い続ける持続性、残香性を有していた。